(57)【特許請求の範囲】
【請求項１】
シャッタ羽根と、
上記シャッタ羽根を開閉作動させるシャッタ羽根操作部材と、
焦点調節のときにレンズ枠を駆動させるレンズ枠駆動部材と、
上記シャッタ羽根操作部材と上記レンズ枠駆動部材を駆動させる正逆回転可能なモータと、
上記シャッタ羽根操作部材と上記レンズ枠駆動部材の間に配置され、上記モータの正逆転により上記モータの駆動力を上記シャッタ羽根操作部材側もしくは上記レンズ枠駆動部材側の一方に切り替え伝達可能とするためのクラッチ機構と、
上記シャッタ羽根操作部材側に切り替わった状態もしくは上記レンズ枠駆動部材側に切り替わった状態で上記クラッチ機構を係止する係止部材と、
を具備し、上記モータの駆動力の伝達方向をレンズ駆動側からシャッタ駆動側へ切り替えるときのモータの回転方向でシャッタ羽根操作部材の初期位置当て付けを行うことを特徴とするシャッタ機構。
【請求項２】
上記クラッチ機構を切り替えた位置で係止する係止部材と、上記係止部材を係止位置と係止解除位置との間で駆動させる駆動手段とを更に有し、上記シャッタ羽根開閉部材の初期位置当て付けを行ったときにモータに流れる電流が増大した場合、上記係止部材の駆動手段における駆動を断つことを特徴とする請求項１に記載のシャッタ機構。
【発明の詳細な説明】
【０００１】
【発明の属する技術分野】
本発明は、単一のモータによりレンズ駆動とシャッタ駆動を共に行うシャッタ機構に関するものである。
【０００２】
【従来の技術】
従来、焦点調節のためのレンズ駆動とシャッタ駆動とを単一のモータで行うシャッタ機構としては、例えば特開平３−２９９３２号公報や特開平３−５５５３２号公報により開示された技術がある。
【０００３】
即ち、特開平３−２９９３２号公報により開示された技術では、モータの上下両側にスピンドルが突出し、それぞれにギヤを固定し、上側のギヤで焦点調節リングを回動させ、下側のギヤでシャッタ操作部材を回動させる。また、シャッタ羽根が閉じている時、モータを正回転させて、焦点調節リングをレンズ繰り出し方向に回動させてもシャッタ操作部材が操作されないようにクラッチ機構を設けている。このクラッチ機構は、スピンドルに固定された下側のギヤがシャッタ操作部材の外周の一部に設けられたギヤ部の一方端で噛合するように設定されており、この配置構造とギヤ同士が噛み合う方向にシャッタ操作部材を付勢するトーションスプリングとで構成されている。
【０００４】
一方、特開平３−５５５３２号公報により開示された技術では、外周上にシャッタ操作部材駆動用の平面カムを持つ駆動リングと外周上にラチェットギヤを設けたラチェットギヤとを同心円上に重ねて配置し、ステッピングモータで駆動リングを回動させ、駆動リングに突設されたピンにとりラチェットリングを回動させる。ステッピングモータを時計方向に回転させると、駆動リングの回動により回動によりラチェットリングが回動し、合焦点位置まで回動すると、係止レバーで係止する。その後、ステッピングモータを反時計方向に回転させると、シャッタ羽根が開き時計方向に回転させると閉じる。シャッタ羽根が閉じた後もステッピングモータを時計方向に回転させると駆動リングに設けられた係止解除ピンにより係止レバーが回動し、ラチェットリングの係止が外れる。ラチェットリングにはバネが掛かっており、ラチェットリングを駆動リングに突設されたピンに当接する方向にバネ力が働いている為、このバネ力により、ラチェットリングは初期位置に復帰する。
【０００５】
【発明が解決しようとする課題】
しかしながら、上記特開平３−２９９３２号公報により開示された技術では、モータを正回転させると、スピンドルに固定された下側のギヤとシャッタ操作部材のギヤ部との噛合が外れ、モータを逆回転させると、再びそれらが噛合し、シャッタ操作部材が回動する。そのために、シャッタ羽根の開き始めの位置が不安定となり、露出がばらつくといった問題が生じる。
【０００６】
一方、上記特開平３−５５５３２号公報により開示された技術では、シャッタ駆動終了後、バネ力によりラチェットリングを回転させ、合焦点位置から初期位置への復帰を行っているため、バネ力が弱いとラチェットリングを駆動リングに突設されたピンに確実に当接することはできない。従って、初期位置が不安定となり合焦点位置がばらつくといった問題が生じる。
【０００７】
本発明は上記問題に鑑みてなされたもので、その目的とするところは、簡単な制御及び合焦駆動における初期位置当て付けを確実に行うと共に、初期位置当て付け時のモータ過負荷による電気回路の焼き付けを防止することにある。
【０００８】
【課題を解決するための手段】
上記目的を達成するために、本発明の第１の態様によるシャッタ機構は、シャッタ羽根と、上記シャッタ羽根を開閉作動させるシャッタ羽根操作部材と、焦点調節のときにレンズ枠を駆動させるレンズ枠駆動部材と、上記シャッタ羽根操作部材と上記レンズ枠駆動部材を駆動させる正逆回転可能なモータと、上記シャッタ羽根操作部材と上記レンズ枠駆動部材の間に配置され、上記モータの正逆転により上記モータの駆動力を上記シャッタ羽根操作部材側もしくは上記レンズ枠駆動部材側の一方に切り替え伝達可能とするためのクラッチ機構と、上記シャッタ羽根操作部材側に切り替わった状態もしくは上記レンズ枠駆動部材側に切り替わった状態で上記クラッチ機構を係止する係止部材と、を具備し、上記モータの駆動力の伝達方向をレンズ駆動側からシャッタ駆動側へ切り替えるときのモータの回転方向でシャッタ羽根操作部材の初期位置当て付けを行うことを特徴とする。
本発明の第２の態様によるシャッタ機構は、上記第１の態様において、上記クラッチ機構を切り替えた位置で係止する係止部材と、上記係止部材を係止位置と係止解除位置との間で駆動させる駆動手段とを更に有し、上記シャッタ羽根開閉部材の初期位置当て付けを行ったときにモータに流れる電流が増大した場合、上記係止部材の駆動手段における駆動を断つことを特徴とする。
【００１１】
上記第１及び第２の態様は以下の作用を奏する。
即ち、本発明の第１の態様によるシャッタ機構では、モータの駆動力の伝達方向をレンズ駆動側からシャッタ駆動側へ切り替えるときのモータの回転方向でシャッタ羽根操作部材の初期位置当て付けが行われる。
本発明の第２の態様によるシャッタ機構では、上記第１の態様において、係止部材により上記クラッチ機構を切り替えた位置で係止され、駆動手段により上記係止部材が係止位置と係止解除位置との間で駆動させ、上記シャッタ羽根開閉部材の初期位置当て付けを行ったときにモータに流れる電流が増大した場合、上記係止部材の駆動手段における駆動が断たれる。
【００１４】
【発明の実施の形態】
以下、図面を参照して、本発明の実施の形態について説明する。
図１及び図２には本発明の実施の形態に係るシャッタ機構の構成を示し説明する。尚、図１は遊星ギヤ５がＡＦギヤ７と噛合している状態を示しており、図２は遊星ギヤ５がＡＥギヤ３と噛合している状態を示している。
【００１５】
これらの図において、このシャッタ機構では、駆動源であるモータ１３の回転軸上に設けられた不図示のピニオンギヤはアイドルギヤ１６と噛合し、該アイドルギヤ１６は段ギヤ１７と噛合し、該段ギヤ１７は段ギヤ１８と噛合している。そして、この段ギヤ１７，１８は減速機構を構成している。
【００１６】
上記段ギヤ１８は太陽ギヤ４と噛合し、該太陽ギヤ４の上方には太陽ギヤ４の回転軸を中心として回動するためのキャリア６が配設されている。そして、このキャリア６には不図示の軸が突設されており、この軸に遊星ギヤ５が嵌合している。この遊星ギヤ５は上記太陽ギヤ４と噛合している。これら太陽ギヤ４、遊星ギヤ５、キャリア６は遊星クラッチ機構を構成しており、太陽ギヤ４が回転すると遊星ギヤ５は、その周りを公転するように動くようになっている。
【００１７】
上記遊星クラッチ機構を中心として、左右に２つのギヤが配設されており、一方はＡＦ用のギヤであり、他方はＡＥ用のギヤである。ＡＦ用のギヤであるＡＦギヤ７は、それ自身の回転でレンズを保持している不図示のレンズ枠を移動させるものである。一方、ＡＥ用のギヤであるＡＥギヤ３は、腕部３ａを有しており、その先端にシャッタピン３ｂが突出されている。シャッタ３ｂはシャッタ羽根１，２に設けられた長穴１ｂ，２ｂに嵌合し、上記ＡＥギヤ３が回転するとシャッタ羽根１，２はそれぞれピン１ａ，２ａを中心として回転する。
【００１８】
ＡＥギヤ３の腕部３ａには、更にシャッタ羽根１，２を閉じる方向にＡＥギヤ３を付勢する閉じバネ１２が取り付けられている。この閉じバネ１２の力量を強くすることで、強い衝撃等でシャッタ羽根が開くのを防ぐことができる。また、シャッタ羽根１の足部分には、ＡＥＰＩ１９が配設されている。
【００１９】
上記シャッタ羽根１，２を中心に、ＡＥギヤ３とは反対側にプランジャ９が配置されており、圧縮バネ１１を取り付けた鉄心１０がプランジャ９のコイル中心に挿入されている。上記鉄心１０の先端には係止レバー８の一端に設けられたボス８ｂが嵌合している。また、係止レバー８の他端には遊星クラッチを係止するためのボス８ａが配設されている。
【００２０】
以下、図３のタイムチャートを参照して各要素の動作を詳細に説明する。
図１を初期状態とし、上記モータ１３をＣＷ駆動すると、ＡＦギヤ７がＢ方向に回転し、不図示のレンズ枠が繰り込み方向に移動し、不図示の停止部材に確実に当接した後、モータ１３をＣＣＷ駆動する。
【００２１】
上記モータ１３がＣＣＷ駆動すると、ＡＦギヤ７はＡ方向に回転し、不図示のレンズ枠が合焦点位置まで移動し、その後モータ１３を停止する。そして、プランジャ９に通電すると、鉄心１０が吸着され、係止レバー８が８ｃを回転中心としてＣ方向に回動し、遊星クラッチの係止が外れる。
【００２２】
ここで、モータ１３をＣＣＷ駆動すると、太陽ギャ４はＤ方向に回転し、遊星クラッチはＡＥギヤ３側に切り替わる。即ち、図１に示される状態から図２に示される状態となる。この時、モータ１３はＣＣＷ駆動しているため、遊星ギヤ５がＡＥギヤ３と噛合して、ＡＥギヤ３はＦ方向に回転し、腕部３ａが停止部材１４に当接する。この後、プランジャ９への通電を断つと、鉄心１０の吸着によってチャージされた圧縮バネ１１のバネ力によって、鉄心１０はプランジャ９から離れる。これに連動して、係止レバー８は８ｃを回転中心として回動し、遊星クラッチを再び係止する。
【００２３】
こうして遊星クラッチを再び係止した後、モータ１３を一端停止させ、次にモータ１３をＣＷ駆動させる。すると、ＡＥギヤ３は閉じバネ１２のバネ力に逆らってＧ方向に回転し、シャッタ羽根１，２が開く。シャッタ羽根１，２が全開になるときは、ＡＥギヤ３の腕部３ａが停止部材１５に当接する。
【００２４】
シャッタ羽根１，２を閉じる時は、プランジャ９に通電し、鉄心１０を吸着させ、係止レバー８を回動させ、遊星クラッチの係止を外す。ＡＥギヤ３には、シャッタ羽根１，２を閉じる方向に閉じバネ１２のバネ力が働き、バネ力によりＡＥギヤ３はＦ方向に回転し、遊星ギヤ５との噛合が外れる。
【００２５】
こうして遊星ギヤ５との噛合が外れると、ＡＥギヤ３への駆動力伝達が断たれるため、モータ１３のコギングの影響を受けずに閉じバネ１２のバネ力でのみシャッタ羽根１，２が閉じられる。また、シャッタ羽根１，２を閉じるときに、プランジャ９への通電と同期してモータ１３への印加電圧を上げると、遊星ギヤ５との噛合が速く外れる。
【００２６】
その後、モータ１３の駆動を停止させ、ＡＥＰＩ１９の信号が切り替わると、再びモータ１３をＣＷ駆動させる。このモータ１３のＣＷ駆動により、太陽ギヤ４はＥ方向に回転するため、遊星クラッチはＡＦギヤ７側に切り替わる。遊星ギヤ５がＡＦギヤ７と噛合すると、ＡＦギヤ７はＢ方向に回転し、合焦点位置にある不図示のレンズ枠を初期位置まで移動させる。この後にモータ１３を停止させ、一連のシーケンスが終了する。
【００２７】
以上説明したように、本発明のシャッタ機構は、モータからの駆動力を遊星クラッチ機構を用いて２方向に切り替え可能にし、一方をシャッタ羽根開閉部材、他方をレンズ枠駆動部材へ駆動力伝達を行うように配置し、この配置構造において遊星クラッチを切り替えた時、切り替え方向の回転が、シャッタ駆動あるいは合焦駆動の初期位置出しを行うようにし、遊星クラッチを係止する。
【００２８】
【発明の効果】
以上詳述したように、本発明によれば、簡単な制御及び合焦駆動における初期位置当て付けを確実に行うと共に、初期位置当て付け時のモータ過負荷による電気回路の焼き付けを防止するシャッタ機構を提供することができる。
【図面の簡単な説明】
【図１】本発明の実施の形態に係るシャッタ機構の構成を示す図である。
【図２】本発明の実施の形態に係るシャッタ機構の構成を示す図である。
【図３】実施の形態に係るシャッタ機構の動作を示すタイミングチャートである。
【符号の説明】
１，２  シャッタ羽根
１ａ，２ａ  ピン
１ｂ，２ｂ  長穴
３  ＡＥギヤ
３ａ  腕部
３ｂ  シャッタピン
４  太陽ギヤ
５  遊星ギヤ
６  キャリア
７  ＡＦギヤ
８  係止レバー
８ａ，８ｂ  ボス
９  プランジャ
１０  鉄心
１１  圧縮バネ
１２  閉じバネ
１３  モータ
１４，１５  停止部材
１６  アイドルギヤ
１７，１８  段ギヤ
１９  ＡＥＰＩ
【図１】
0003650204.tif 000002
【図２】
0003650204.tif 000003
【図３】
0003650204.tif 000004